(57)【要約】【課題】主燃焼室及び副燃焼室を備える場合において、ノッキングや燃焼変動の発生を抑制しながら、燃焼効率を向上させることができ、排ガス特性を向上させることができる内燃機関の制御装置を提供する。【解決手段】内燃機関３の制御装置１は、ＥＣＵ２を備える。ＥＣＵ２は、触媒が不活性状態にあると推定されるときに、点火プラグ８を介して、副燃焼室３ｄ内の混合気の点火時期を触媒が活性化しているときよりも遅角側に制御する遅角制御を実行し（ステップ５）、遅角制御が実行されるときに、主燃料噴射弁６を介して、主燃焼室３ｃ内の混合気の空燃比を遅角制御の開始前の値に保持するとともに、副燃料噴射弁７を介して、副燃焼室３ｄ内の混合気の空燃比を遅角制御を実行していないときよりもリッチ側に制御する（ステップ４）。【選択図】図３
2018105171.tif 000002
【特許請求の範囲】
【請求項１】
互いに連通する主燃焼室及び副燃焼室が気筒ごとに設けられ、当該主燃焼室への燃料供給によって当該主燃焼室内に混合気を生成させるための主燃料供給装置と、前記副燃焼室への燃料供給によって当該副燃焼室内に混合気を生成させるための副燃料供給装置と、当該副燃焼室内の混合気を点火するための点火装置とを備えた内燃機関の制御装置であって、
所定の遅角条件が成立しているか否かを判定する遅角条件判定手段と、
当該遅角条件判定手段の判定結果に基づき、前記所定の遅角条件が成立しているときに、前記点火装置を介して、前記副燃焼室内の前記混合気の点火時期を、当該所定の遅角条件が成立していないときよりも遅角側に制御する遅角制御を実行する点火時期制御手段と、
当該遅角制御が実行されるときに、前記主燃料供給装置を介して、前記主燃焼室内の混合気の空燃比を前記遅角制御の開始前の値に保持するとともに、前記副燃料供給装置を介して、前記副燃焼室内の混合気の空燃比を前記遅角制御を実行していないときよりもリッチ側に制御する空燃比制御手段と、
を備えることを特徴とする内燃機関の制御装置。
【請求項２】
前記遅角条件判定手段は、前記内燃機関の排気通路の触媒が不活性状態にあると推定されるときに、前記所定の遅角条件が成立したと判定することを特徴とする請求項１に記載の内燃機関の制御装置。
【請求項３】
互いに連通する主燃焼室及び副燃焼室が気筒ごとに設けられ、当該主燃焼室への燃料供給によって当該主燃焼室内に混合気を生成させるための主燃料供給装置と、前記副燃焼室への燃料供給によって当該副燃焼室内に混合気を生成させるための副燃料供給装置と、当該副燃焼室内の混合気を点火するための点火装置とを備えた内燃機関の制御装置であって、
当該内燃機関におけるノッキングの発生の有無を判定するノッキング判定手段と、
当該ノッキング判定手段の判定結果に基づき、前記ノッキングが発生したときに、前記副燃料供給装置を介して、前記副燃焼室内の混合気の空燃比を当該ノッキングが発生していないときよりもリッチ側に制御する空燃比制御手段と、
を備えることを特徴とする内燃機関の制御装置。
【請求項４】
互いに連通する主燃焼室及び副燃焼室が気筒ごとに設けられ、当該主燃焼室への燃料供給によって当該主燃焼室内に混合気を生成させるための主燃料供給装置と、前記副燃焼室への燃料供給によって当該副燃焼室内に混合気を生成させるための副燃料供給装置と、当該副燃焼室内の混合気を点火するための点火装置とを備えた内燃機関の制御装置であって、
前記内燃機関の運転状態に応じ、前記主燃料供給装置及び前記副燃料供給装置を介して、前記気筒内の混合気全体の空燃比を理論空燃比以上の第１所定値から当該第１所定値よりも小さい第２所定値に切り換える空燃比切換制御を実行するとともに、当該空燃比切換制御を実行するときに、前記副燃料供給装置を介して、前記副燃焼室内の混合気の空燃比を当該空燃比切換制御の実行前よりもリッチ側に制御する空燃比制御手段と、
前記空燃比切換制御が実行されるときに、前記点火装置を介して、前記副燃焼室内の前記混合気の点火時期を前記空燃比切換制御の実行前よりも遅角側に制御する点火時期制御手段と、
を備えることを特徴とする内燃機関の制御装置。
【発明の詳細な説明】
【技術分野】
【０００１】
本発明は、副燃焼室内の混合気を点火装置で点火し、点火された混合気を火種として、主燃焼室内の混合気を燃焼させる内燃機関の制御装置に関する。
【背景技術】
【０００２】
従来、内燃機関の制御装置として、特許文献１に記載されたものが知られている。この内燃機関は、都市ガスなどのガスを燃料するタイプのものであり、主燃焼室及び副燃焼室と、主燃焼室及び副燃焼室にそれぞれ燃料ガスを供給する主燃料噴射弁及び副燃料供給弁と、副燃焼室内の燃料ガスを点火する点火プラグなどを備えている。
【０００３】
この制御装置は、位相角センサ及び筒内圧センサなどを備えており、以下に述べるように、ノッキングの抑制制御を実行する。具体的には、２つのセンサの検出信号に基づいて、大ノック、小ノック及び失火などを気筒ごとに判定し、所定サイクル数が経過する間において小ノックが発生したサイクル数とこの所定サイクル数との比を、ノッキング出現率ＳＥＶとして算出するとともに、その移動平均値である出現率平均値ＳＥＶaveを算出する。次いで、これと出現率目標値ＳＥＶsetとの偏差ΔＳＥＴを算出し、この偏差ΔＳＥＴにゲインＫ１を乗算することにより、補正値ΔＩＧＮsevを算出する。
【０００４】
また、点火時期指令値ＩＧＮの移動平均値として、基準値ＩＧＮaveを算出し、これに補正値ΔＩＧＮsevを加算して１次目標値ＩＧＮset1を算出する。以上により、この１次目標値ＩＧＮset1は、小ノックを抑制できるように算出される。さらに、所定サイクル数が経過する間の大ノックが発生したサイクル数Ｎmを算出し、これが所定値Ｍ以上であるときに、この値Ｎから値Ｍ−１を減算した値にゲインＫ２を乗算することにより、遅角量ΔＩＧＮmを算出し、１次目標値ＩＧＮset1から遅角量ΔＩＧＮmを減算することにより、２次目標値ＩＧＮset2を算出する。以上により、この２次目標値ＩＧＮset2は、大ノックを抑制できるように算出される。そして、この２次目標値ＩＧＮset2に基づき、点火時期指令値ＩＧＮが算出される。以上のように、点火時期指令値ＩＧＮを算出することによって、大ノック及び小ノックの発生が抑制される。
【先行技術文献】
【特許文献】
【０００５】
【特許文献１】特開２０１０−８４６８１号公報
【発明の概要】
【発明が解決しようとする課題】
【０００６】
上記特許文献１の制御装置によれば、大ノックの発生を抑制するために、１次目標値ＩＧＮset1を遅角量ΔＩＧＮmだけ遅角している関係上、点火時期がＭＢＴからその分遅角側にずれてしまうことで、燃焼効率の低下を招いてしまうおそれがある。
【０００７】
また、主燃焼室及び副燃焼室を備える内燃機関であって、車両に動力源として搭載された内燃機関の場合、その始動時、触媒を迅速に活性化させるために、点火時期の遅角制御が実行されるのが一般的であり、そのような場合にも、燃焼効率の低下や燃焼変動の増大などを招くおそれがある。
【０００８】
さらに、主燃焼室及び副燃焼室を備える内燃機関であって、車両に動力源として搭載され、リーンバーン運転される内燃機関の場合、排気通路のＮＯｘ浄化触媒におけるＮＯｘ浄化能力を回復させるために、空燃比をリーンバーン運転中よりもリッチ側に制御するリッチスパイク制御を実行するものが一般的である。そのような内燃機関の場合にも、空燃比をリーンバーン運転用の値とリッチスパイク制御用の値との間で切り換える際、燃焼変動を生じやすいとともに、排ガス特性が低下するおそれがある。
【０００９】
本発明は、上記課題を解決するためになされたもので、主燃焼室及び副燃焼室を備える場合において、ノッキングや燃焼変動の発生を抑制しながら、燃焼効率を向上させることができ、排ガス特性を向上させることができる内燃機関の制御装置を提供することを目的とする。
【課題を解決するための手段】
【００１０】
上記目的を達成するために、請求項１に係る発明は、互いに連通する主燃焼室３ｃ及び副燃焼室３ｄが気筒３ａごとに設けられ、主燃焼室３ｃへの燃料供給によって主燃焼室３ｃ内に混合気を生成させるための主燃料供給装置（主燃料噴射弁６）と、副燃焼室３ｄへの燃料供給によって副燃焼室３ｄ内に混合気を生成させるための副燃料供給装置（副燃料噴射弁７）と、副燃焼室３ｄ内の混合気を点火するための点火装置（点火プラグ８）とを備えた内燃機関３の制御装置１であって、所定の遅角条件が成立しているか否かを判定する遅角条件判定手段（ＥＣＵ２、ステップ２，３）と、遅角条件判定手段の判定結果に基づき、所定の遅角条件が成立しているときに、点火装置（点火プラグ８）を介して、副燃焼室３ｄ内の混合気の点火時期を、所定の遅角条件が成立していないときよりも遅角側に制御する遅角制御を実行する点火時期制御手段（ＥＣＵ２、ステップ５）と、遅角制御が実行されるときに、主燃料供給装置（主燃料噴射弁６）を介して、主燃焼室３ｃ内の混合気の空燃比を遅角制御の開始前の値に保持するとともに、副燃料供給装置（副燃料噴射弁７）を介して、副燃焼室３ｄ内の混合気の空燃比を遅角制御を実行していないときよりもリッチ側に制御する空燃比制御手段（ＥＣＵ２、ステップ４）と、を備えることを特徴とする。
【００１１】
この内燃機関の制御装置によれば、所定の遅角条件が成立しているか否かが判定され、所定の遅角条件が成立しているときに、点火装置を介して、副燃焼室内の混合気の点火時期を、所定の遅角条件が成立していないときよりも遅角側に制御する遅角制御が実行される。さらに、遅角制御が実行されるときに、主燃料供給装置を介して、主燃焼室内の混合気の空燃比が遅角制御の開始前の値に保持されるとともに、副燃料供給装置を介して、副燃焼室内の混合気の空燃比が遅角制御を実行していないときよりもリッチ側に制御されるので、遅角制御の実行中、点火時期をより遅角側に制御しながら、主燃焼室の空燃比を遅角制御の開始前の値に保持した状態で、副燃焼室内の混合気の着火性を確保でき、燃焼安定性を確保することができる。それにより、触媒が不活性状態にあるときなどの点火時期をより遅角側に制御する必要がある条件下でも、良好な燃焼効率及び燃焼安定性を確保でき、高い商品性を確保することができる。
【００１２】
請求項２に係る発明は、請求項１に記載の内燃機関３の制御装置１において、遅角条件判定手段は、内燃機関３の排気通路９の触媒（触媒装置１０）が不活性状態にあると推定されるときに、所定の遅角条件が成立したと判定することを特徴とする。
【００１３】
この内燃機関の制御装置によれば、内燃機関の触媒が不活性状態にあると推定されるときに、遅角制御が実行されるので、良好な燃焼効率及び燃焼安定性を確保しながら、触媒を迅速に活性化させることができる。それにより、商品性を向上することができる。
【００１４】
請求項３に係る発明は、互いに連通する主燃焼室３ｃ及び副燃焼室３ｄが気筒３ａごとに設けられ、主燃焼室３ｃへの燃料供給によって主燃焼室３ｃ内に混合気を生成させるための主燃料供給装置（主燃料噴射弁６）と、副燃焼室３ｄへの燃料供給によって副燃焼室３ｄ内に混合気を生成させるための副燃料供給装置（副燃料噴射弁７）と、副燃焼室３ｄ内の混合気を点火するための点火装置（点火プラグ８）とを備えた内燃機関３の制御装置であって、内燃機関３におけるノッキングの発生の有無を判定するノッキング判定手段（ＥＣＵ２、ステップ１２，１３）と、ノッキング判定手段の判定結果に基づき、ノッキングが発生したときに、副燃料供給装置（副燃料噴射弁７）を介して、副燃焼室３ｄ内の混合気の空燃比をノッキングが発生していないときよりもリッチ側に制御する空燃比制御手段（ＥＣＵ２、ステップ１４）と、を備えることを特徴とする。
【００１５】
この内燃機関の制御装置によれば、内燃機関におけるノッキングの発生の有無が判定され、ノッキングが発生したときに、副燃料供給装置を介して、副燃焼室内の混合気の空燃比がノッキングが発生していないときよりもリッチ側に制御される。それにより、ノッキングが発生しているときには、副燃焼室内の混合気の燃焼速度をノッキングが発生していないときよりも上昇させることができ、燃焼重心位置を進角させることができる（後述する図６（ａ），（ｂ）参照）ので、点火時期をノッキングの発生前よりも遅角側に制御することなく、ノッキングの発生を抑制することができる。その結果、ノッキングの発生を抑制しながら、燃焼効率を向上させることができる。
【００１６】
請求項４に係る発明は、互いに連通する主燃焼室３ｃ及び副燃焼室３ｄが気筒３ａごとに設けられ、主燃焼室３ｃへの燃料供給によって主燃焼室３ｃ内に混合気を生成させるための主燃料供給装置（主燃料噴射弁６）と、副燃焼室３ｄへの燃料供給によって副燃焼室３ｄ内に混合気を生成させるための副燃料供給装置（副燃料噴射弁７）と、副燃焼室３ｄ内の混合気を点火するための点火装置（点火プラグ８）とを備えた内燃機関３の制御装置であって、内燃機関３の運転状態に応じ、主燃料供給装置（主燃料噴射弁６）及び副燃料供給装置（副燃料噴射弁７）を介して、気筒３ａ内の混合気全体の空燃比を理論空燃比以上の第１所定値から第１所定値よりも小さい第２所定値に切り換える空燃比切換制御を実行するとともに、空燃比切換制御を実行するときに、副燃料供給装置（副燃料噴射弁７）を介して、副燃焼室３ｄ内の混合気の空燃比を空燃比切換制御の実行前よりもリッチ側に制御する空燃比制御手段（ＥＣＵ２、ステップ２３〜３０）と、空燃比切換制御が実行されるときに、点火装置（点火プラグ８）を介して、副燃焼室３ｄ内の混合気の点火時期を空燃比切換制御の実行前よりも遅角側に制御する点火時期制御手段（ＥＣＵ２、ステップ２５）と、を備えることを特徴とする。
【００１７】
この内燃機関の制御装置によれば、内燃機関の運転状態に応じ、主燃料供給装置及び副燃料供給装置を介して、気筒内の混合気全体の空燃比を理論空燃比以上の第１所定値から第１所定値よりも小さい第２所定値に切り換える空燃比切換制御が実行される。そして、この空燃比切換制御が実行されるときに、副燃料供給装置を介して、副燃焼室内の混合気の空燃比が空燃比切換制御の実行前よりもリッチ側に制御されるので、空燃比切換制御の実行中、副燃焼室内の混合気を点火するときに、筒内ガス量の応答遅れに伴う着火性の悪化を回避できる。それにより、燃焼安定性を確保することができ、燃焼効率を向上させることができる。また、空燃比切換制御が実行されるときに、点火装置を介して、副燃焼室内の混合気の点火時期が空燃比切換制御の実行前よりも遅角側に制御されるので、混合気の燃焼温度の上昇に伴うＮＯｘ排出量の増大を回避でき、排ガス特性を向上させることができる。以上のように、空燃比切換制御の実行中において、燃焼安定性の確保と排ガス特性の向上と実現させることができ、商品性を向上させることができる。
【図面の簡単な説明】
【００１８】
【図１】本発明の第１実施形態に係る制御装置及びこれを適用した内燃機関の構成を模式的に示す図である。
【図２】内燃機関の副燃焼室周辺の概略的な構成を示す図１の部分拡大図である。
【図３】第１実施形態の制御装置によるエンジン制御処理を示すフローチャートである。
【図４】内燃機関における（ａ）点火時期と排気温度の関係、及び（ｂ）点火時期と燃焼変動の関係を示す図である。
【図５】第２実施形態の制御装置によるエンジン制御処理を示すフローチャートである。
【図６】内燃機関における（ａ）副燃焼室の空燃比と燃焼速度の関係、及び（ｂ）副燃焼室の空燃比と燃焼重心位置の関係を示す図である。
【図７】第３実施形態の制御装置によるエンジン制御処理を示すフローチャートである。
【図８】内燃機関における（ａ）点火時期とＮＯｘ排出量の関係、及び（ｂ）副燃焼室の空燃比と燃焼安定性の関係を示す図である。
【発明を実施するための形態】
【００１９】
以下、図面を参照しながら、本発明の第１実施形態に係る内燃機関の制御装置について説明する。図１に示すように、本実施形態の制御装置１は、内燃機関（以下「エンジン」という）３の運転状態を制御するものであり、ＥＣＵ２を備えている。このＥＣＵ２によって、後述するように、エンジン制御処理などが実行される。
【００２０】
このエンジン３は、ガソリンを燃料とするものであり、図示しない車両に動力源として搭載されている。エンジン３は、複数組の気筒３ａ及びピストン３ｂ（１組のみ図示）を有する多気筒タイプのものであり、吸気弁及び排気弁（いずれも図示せず）が気筒３ａごとに設けられている。エンジン３の運転中、吸気弁及び排気弁によって、気筒３ａ内への吸気動作と気筒３ａからの排気動作がそれぞれ実行される。
【００２１】
エンジン３の吸気通路４には、上流側から順に、スロットル弁機構５及び主燃料噴射弁６（主燃料供給装置）が設けられている。スロットル弁機構５は、スロットル弁５ａ及びこれを開閉駆動するＴＨアクチュエータ５ｂなどを備えている。スロットル弁５ａは、吸気通路４の途中に回動自在に設けられており、当該回動に伴う開度の変化によりスロットル弁５ａを通過する空気の流量を変化させる。
【００２２】
また、ＴＨアクチュエータ５ｂは、ＥＣＵ２に接続されたモータにギヤ機構（いずれも図示せず）を組み合わせたものであり、ＥＣＵ２によって制御されることにより、スロットル弁５ａの開度を変化させる。それにより、吸気行程中、気筒３ａ内に吸入される空気量が変更される。
【００２３】
一方、主燃料噴射弁６は、吸気通路４の吸気マニホールドに気筒３ａごとに設けられており、ＥＣＵ２に電気的に接続されているとともに、ＥＣＵ２によって制御されることにより、燃料を吸気マニホールド内に噴射する。この主燃料噴射弁６から噴射された燃料は、吸気行程中の吸気弁の開弁に伴って、主燃焼室３ｃ内に吸入され、混合気を生成する。
【００２４】
さらに、エンジン３の各気筒３ａのピストン３ｂとシリンダヘッドとの間には、主燃焼室３ｃ及び副燃焼室３ｄが形成されている。図１及び図２に示すように、副燃焼室３ｄは、主燃焼室３ｃの上側に設けられており、その上側には、副燃料噴射弁７（副燃料供給装置）及び点火プラグ８（点火装置）が配置されている。
【００２５】
副燃料噴射弁７は、その先端部の噴射口が副燃焼室３ｄ内に臨むように設けられており、ＥＣＵ２に電気的に接続されているとともに、ＥＣＵ２によって制御されることにより、燃料を副燃焼室３ｄ内に噴射する。それにより、混合気が副燃焼室３ｄ内に生成される。
【００２６】
また、点火プラグ８は、その先端部の電極が副燃焼室３ｄ内に臨むように設けられており、燃焼行程中、ＥＣＵ２によって制御されることにより放電し、副燃焼室３ｄ内の混合気を点火する。
【００２７】
さらに、副燃焼室３ｄの底壁部３ｅには、複数の連通孔３ｆが形成されており、これらの連通孔３ｆを介して、副燃焼室３ｄと主燃焼室３ｃは互いに連通している。それにより、上記のように、燃焼行程中、点火プラグ８によって副燃焼室３ｄ内の混合気が点火された際、点火された混合気は、火種として連通孔３ｆを介して主燃焼室３ｃ内に流入し、主燃焼室３ｃ内の混合気を燃焼させる。
【００２８】
このエンジン３の場合、通常運転の実行中、エンジン３の運転域がストイキ運転域（高負荷域又は極低負荷域）にあるときには、気筒３ａ内の混合気全体の空燃比が理論空燃比になるように制御され、ストイキ運転されるとともに、それ以外のリーン運転域では、気筒３ａ内の混合気全体の空燃比が理論空燃比よりもリーン側の値になるように制御され、リーンバーン運転される。この場合、気筒３ａ内の混合気全体の空燃比とは、気筒３ａ内における総吸入空気量と、主燃料噴射弁１０による燃料噴射量及び副燃料噴射弁１１による燃料噴射量の総和との比を意味する。
【００２９】
一方、排気通路９には、触媒装置１０が設けられている。この触媒装置１０は、ＮＯｘ浄化触媒と三元触媒を組み合わせたものであり、ＮＯｘ浄化触媒は、排ガス中のＮＯｘを酸化雰囲気下で捕捉するとともに、捕捉したＮＯｘを還元雰囲気下で還元する。また、三元触媒は、ストイキ雰囲気下において、排ガス中のＨＣ及びＣＯなどを酸化しかつＮＯｘを還元することによって、排ガスを浄化する。
【００３０】
また、ＥＣＵ２には、クランク角センサ２０、触媒温センサ２１、ノックセンサ２２及びアクセル開度センサ２３が電気的に接続されている。
【００３１】
このクランク角センサ２０は、マグネットロータ及びＭＲＥピックアップで構成されており、図示しないクランクシャフトの回転に伴い、いずれもパルス信号であるＣＲＫ信号及びＴＤＣ信号をＥＣＵ２に出力する。
【００３２】
このＣＲＫ信号は、所定クランク角（例えば３０゜）ごとに１パルスが出力され、ＥＣＵ２は、このＣＲＫ信号に基づき、エンジン３の回転数（以下「エンジン回転数」という）ＮＥを算出する。また、ＴＤＣ信号は、各気筒３ａのピストン３ｂが吸気行程のＴＤＣ位置よりも若干、手前の所定のクランク角位置にあることを表す信号であり、所定クランク角ごとに１パルスが出力される。
【００３３】
また、触媒温センサ２１は、サーミスタで構成されており、触媒装置１０の温度である触媒温Ｔｃａｔを検出して、それを表す検出信号をＥＣＵ２に出力する。
【００３４】
さらに、ノックセンサ２２は、ピエゾ圧電素子及び振動板などを組み合わせて構成されており、エンジン３のシリンダブロックに固定されているとともに、ノッキング振動に応じた電圧値を示す検出信号をＥＣＵ２に出力する。ＥＣＵ２は、ノックセンサ２２の検出信号に基づき、ノッキングの発生の有無、ノッキングの強度及び発生周期などを判定する。
【００３５】
一方、アクセル開度センサ２３は、車両の図示しないアクセルペダルの踏み込み量（以下「アクセル開度」という）ＡＰを検出して、それを表す検出信号をＥＣＵ２に出力する。
【００３６】
また、ＥＣＵ２は、ＣＰＵ、ＲＡＭ、ＲＯＭ及びＩ／Ｏインターフェース（いずれも図示せず）などからなるマイクロコンピュータで構成されており、前述した各種のセンサ２０〜２３の検出信号などに応じて、エンジン３の運転状態を判別し、その運転状態に応じて、以下に述べるように、各種の制御処理を実行する。なお、本実施形態では、ＥＣＵ２が、遅角条件判定手段、点火時期制御手段及び空燃比制御手段に相当する。
【００３７】
次に、図３を参照しながら、エンジン制御処理について説明する。このエンジン制御処理は、主燃料噴射弁６、副燃料噴射弁７及び点火プラグ８の動作を制御することによって、エンジン３の運転状態を制御するものであり、ＥＣＵ２によって、ＴＤＣ信号の発生タイミングに同期して実行される。
【００３８】
同図に示すように、まず、ステップ１（図では「Ｓ１」と略す。以下同じ）で、要求トルクＴＲＱを算出する。この要求トルクＴＲＱは、エンジン回転数ＮＥ及びアクセル開度ＡＰに応じて、図示しないマップを検索することにより算出される。
【００３９】
次いで、ステップ２に進み、触媒暖機判定処理を実行する。この触媒暖機判定処理では、後述する触媒暖機制御処理の実行条件が成立しているか否かを判定し、その判定結果に基づいて、触媒暖機制御フラグＦ＿ＣＡＴａｃｔの値が設定される。
【００４０】
具体的には、下記の条件（ａ１）〜（ａ３）がいずれも成立しているときには、触媒暖機制御処理の実行条件が成立していると判定して、触媒暖機制御フラグＦ＿ＣＡＴａｃｔが「１」に設定され、それ以外のときには、触媒暖機制御フラグＦ＿ＣＡＴａｃｔが「０」に設定される。
（ａ１）エンジン３の始動直後からの運転時間が、副燃焼室内の温度が所定温度に達していると推定される時間以上であること。
（ａ２）触媒温Ｔｃａｔが所定温度以下であること。
（ａ３）アクセル開度ＡＰが所定開度以下であること。
【００４１】
ステップ２に続くステップ３で、触媒暖機制御フラグＦ＿ＣＡＴａｃｔが「１」であるか否かを判別する。この判別結果がＹＥＳで、触媒暖機制御処理の実行条件が成立しているときには、以下に述べるように、ステップ４〜５で、触媒装置１０を迅速に活性化させるための触媒暖機制御処理を実行する。
【００４２】
具体的には、まず、ステップ４で、触媒暖機用の燃料噴射制御処理を実行する。この制御処理では、エンジン回転数ＮＥ及び要求トルクＴＲＱなどに応じて、両燃料噴射弁６，７の燃料噴射量及び噴射タイミングが決定されるとともに、決定された燃料噴射量及び噴射タイミングで、両燃料噴射弁６，７による燃料噴射が実行される。
【００４３】
その際、主燃料噴射弁６による燃料噴射量は、触媒暖機制御処理の実行条件が不成立であるときと同じ値に決定される一方、副燃料噴射弁７による燃料噴射量は、触媒暖機制御処理の実行条件が不成立であるときよりも増量側の値に決定される。この理由については後述する。また、触媒暖機制御フラグＦ＿ＣＡＴａｃｔ＝１のときには、図示しない吸気制御処理において、スロットル弁５ａの開度が触媒暖機用の値（エンジン３の運転状態に応じて設定される値）に制御される。
【００４４】
それにより、主燃焼室３ｃ内の混合気の空燃比は、触媒暖機制御処理の実行条件が不成立であるときと同じような値に制御されるとともに、副燃焼室３ｄ内の混合気の空燃比は、触媒暖機制御処理の実行条件が不成立であるときよりもリッチ側の値に制御される。その結果、副燃焼室３ｄ内の混合気の着火性が高められる。
【００４５】
次いで、ステップ５に進み、触媒暖機用の点火時期制御処理を実行する。この制御処理では、副燃焼室３ｄ内の混合気が、点火プラグ８によって触媒装置１０を迅速に活性化するのに最適な点火時期で点火される。この場合、点火時期は、触媒暖機制御処理の実行条件が不成立であるときよりも遅角側の値に設定される。この理由については後述する。以上のように、ステップ５で、触媒暖機用の点火時期制御処理を実行した後、本処理を終了する。
【００４６】
一方、ステップ３の判別結果がＮＯで、触媒暖機制御処理の実行条件が不成立であるときには、エンジン３の通常運転を実行すべきであると判定して、ステップ６に進み、通常時用の燃料噴射制御処理を実行する。
【００４７】
この制御処理では、エンジン回転数ＮＥ及び要求トルクＴＲＱなどに応じて、両燃料噴射弁６，７の燃料噴射量及び噴射タイミングが決定されるとともに、決定された燃料噴射量及び噴射タイミングで、両燃料噴射弁６，７による燃料噴射が実行される。また、触媒暖機制御フラグＦ＿ＣＡＴａｃｔ＝０のときには、図示しない吸気制御処理において、スロットル弁５ａの開度が通常時用の値（エンジン３の運転状態に応じて設定される値）に制御される。
【００４８】
それにより、主燃焼室３ｃ内の空燃比は、理論空燃比付近又は理論空燃比よりもリーン側の値に制御され、副燃焼室３ｄ内の空燃比は、主燃焼室３ｃ内の混合気の着火に最適な値に制御されるとともに、気筒３ａ内の混合気全体の空燃比は、理論空燃比以上の値に制御される。
【００４９】
次いで、ステップ７に進み、通常時用の点火時期制御処理を実行する。この制御処理では、燃焼した副燃焼室３ｄ内の混合気を火種として、主燃焼室３ｃ内の混合気を適切に着火できるように、副燃焼室３ｄ内の混合気が点火プラグ８によって点火される。以上のように、ステップ７で、通常時用の点火時期制御処理を実行した後、本処理を終了する。
【００５０】
以上のように、本実施形態の制御装置１によれば、触媒暖機制御処理の実行条件が成立しているときには、ステップ４〜５で、触媒暖機制御処理が実行される。その際、前述したように、ステップ４の触媒暖機用の燃料噴射制御処理では、副燃料噴射弁７による燃料噴射量が、触媒暖機制御処理の実行条件が不成立であるときよりも増量側の値に制御され、ステップ５の触媒暖機用の点火時期制御処理では、点火プラグ８による点火時期が、触媒暖機制御処理の実行条件が不成立であるときよりも遅角側の値に制御される。
【００５１】
これは以下の理由による。すなわち、触媒装置１０を迅速に活性化させるためには、排気温度を迅速に上昇させる必要がある。この場合、図４（ａ）に示すように、点火時期を遅角側に制御するほど、排気温度が上昇するので、触媒装置１０を迅速に活性化させるために、点火時期を可能な限り遅角側に制御することが必要となる。
【００５２】
しかしながら、点火時期を遅角側に制御した場合、図４（ｂ）に示すように、点火時期が遅角側であるほど、燃焼効率が低下し、燃焼変動が大きくなるという事象が発生する。これに対して、第１実施形態の制御装置１の場合、前述したように、副燃料噴射弁７による燃料噴射量が、触媒暖機制御処理を実行しないときよりも増量側の値に制御されるので、燃焼変動の発生を抑制しかつ燃焼効率を高めながら、点火時期を可能な限り遅角側に制御することができる。その結果、燃焼効率の低下を抑制しかつ燃焼安定性を確保しながら、触媒装置１０を迅速に活性化させることができ、高い商品性を確保することができる。
【００５３】
なお、第１実施形態は、所定の遅角条件として、触媒暖機制御処理の実行条件を用いた例であるが、本発明の所定の遅角条件はこれに限らず、副燃焼室内の混合気の点火時期を遅角側に制御する必要がある条件であればよい。例えば、ノッキングが発生していることを所定の遅角条件としてもよい。
【００５４】
次に、第２実施形態に係る制御装置について説明する。この制御装置は、第１実施形態のエンジン３と同一のエンジンを制御するものであり、第１実施形態の制御装置１と比較すると、電気的及び機械的な構成は同一であるとともに、図５に示すエンジン制御処理の内容のみが異なっているので、以下、図５を参照しながら、このエンジン制御処理について説明する。
【００５５】
このエンジン制御処理は、前述した図３のエンジン制御処理と同様に、ＥＣＵ２によって、ＴＤＣ信号の発生タイミングに同期して実行される。なお、本実施形態では、ＥＣＵ２がノッキング判定手段及び空燃比制御手段に相当する。
【００５６】
同図に示すように、まず、ステップ１１で、前述したステップ１と同じ手法により、要求トルクＴＲＱを算出する。
【００５７】
次いで、ステップ１２に進み、ノック判定処理を実行する。このノック判定処理は、ノックセンサ２２の検出信号に基づいて、ノッキングの発生を抑制するためのノック抑制制御処理の実行条件が成立しているか否かを判定するとともに、その判定結果に基づいて、ノック抑制制御フラグＦ＿ＫＮＯＣＫの値を設定するものである。
【００５８】
この場合、ノック抑制制御処理の実行条件が成立しているときには、ノック抑制制御フラグＦ＿ＫＮＯＣＫが「１」に設定され、それ以外のときには、ノック抑制制御フラグＦ＿ＫＮＯＣＫが「０」に設定される。
【００５９】
ステップ１２に続くステップ１３で、ノック抑制制御フラグＦ＿ＫＮＯＣＫが「１」であるか否かを判別する。この判別結果がＹＥＳで、ノック抑制制御処理の実行条件が成立しているときには、以下に述べるように、ステップ１４〜１５で、ノック抑制制御処理を実行する。
【００６０】
具体的には、まず、ステップ１４で、ノック抑制用の燃料噴射制御処理を実行する。この制御処理では、主燃料噴射弁６の燃料噴射量及び噴射タイミングが、エンジン回転数ＮＥ及び要求トルクＴＲＱなどに応じて決定されるとともに、決定された燃料噴射量及び噴射タイミングで、主燃料噴射弁６による燃料噴射が実行される。その際、主燃料噴射弁６による燃料噴射量は、ノック抑制制御処理の実行条件が不成立であるときと同じ値に設定される。
【００６１】
また、副燃料噴射弁７の燃料噴射量及び噴射タイミングは以下に述べる手法によって決定される。すなわち、エンジン回転数ＮＥ及び要求トルクＴＲＱなどに応じて、燃料噴射量の基本値を算出し、ノックセンサ２２の検出信号に基づいて、ノック強度及びノック頻度を算出するとともに、この算出結果に基づいて、燃料噴射量の増量分を算出する。そして、この増量分を基本値に加算することによって、副燃料噴射弁７の燃料噴射量を算出し、この燃料噴射量及びエンジン回転数ＮＥに応じて、副燃料噴射弁７の噴射タイミングが決定される。さらに、以上のように決定された燃料噴射量及び噴射タイミングで、副燃料噴射弁７による燃料噴射が実行される。
【００６２】
また、ノック抑制制御フラグＦ＿ＫＮＯＣＫ＝１のときには、図示しない吸気制御処理において、スロットル弁５ａの開度がノック抑制用の値（エンジン３の運転状態に応じて設定される値）に制御される。以上により、副燃料噴射弁７による燃料噴射量は、ノック抑制制御処理の実行条件が不成立であるときよりも増量され、副燃焼室３ｄ内の空燃比はリッチ側に制御される。この理由については後述する。
【００６３】
次いで、ステップ１５に進み、ノック抑制用の点火時期制御処理を実行する。この制御処理では、点火時期は、ノック抑制制御処理の実行条件が不成立であるときと同じ値に設定される。以上のように、ステップ１５で、ノック抑制用の点火時期制御処理を実行した後、本処理を終了する。
【００６４】
一方、ステップ１３の判別結果がＮＯで、ノック抑制制御処理の実行条件が不成立であるときには、エンジン３の通常運転を実行すべきであると判定して、ステップ１６に進み、前述したステップ６と同様に、通常時用の燃料噴射制御処理を実行する。その結果、主燃焼室３ｃ内の空燃比は、理論空燃比付近又は理論空燃比よりもリーン側の値に制御され、副燃焼室３ｄ内の空燃比は、主燃焼室３ｃ内の混合気の着火に最適な値に制御されるとともに、気筒３ａ内の混合気全体の空燃比は、理論空燃比以上の値に制御される。
【００６５】
次いで、ステップ１７に進み、前述したステップ７と同様に、通常時用の点火時期制御処理を実行した後、本処理を終了する。
【００６６】
以上のように、第２実施形態の制御装置によれば、ノック抑制制御処理の実行条件が成立しているときには、ステップ１４〜１５で、ノック抑制制御処理が実行される。その際、前述したように、ステップ１４のノック抑制用の燃料噴射制御処理では、副燃料噴射弁７による燃料噴射量が、ノック抑制制御処理の実行条件が不成立であるときよりも増量側に制御され、ステップ１５のノック抑制用の点火時期制御処理では、点火プラグ８による点火時期が、ノック抑制制御処理の実行条件が不成立であるときと同じ値に制御される。
【００６７】
これは以下の理由による。一般的なエンジンの場合、点火時期を遅角側に制御するほど、ノッキングの発生を抑制できることが知られている。しかしながら、点火時期を遅角側に制御した場合、前述したように、燃焼効率が低下し、燃焼変動が大きくなるという事象が発生する。これに対して、本実施形態の制御装置の場合、副燃料噴射弁７による燃料噴射量が、ノック抑制制御処理を実行しないときよりも増量側の値に制御されることで、副燃焼室３ｄ内の空燃比がリッチ側に制御される。
【００６８】
この場合、図６（ａ）に示すように、副燃焼室３ｄ内の空燃比をよりリッチ側に制御するほど、混合気の燃焼速度が速くなることで、ノッキングの発生をより効果的に抑制でき、その結果的、図６（ｂ）に示すように、副燃焼室３ｄ内の空燃比をよりリッチ側に制御するほど、燃焼重心位置を進角側にすることができる。
【００６９】
その結果、点火時期をノッキングの発生前よりも遅角側に制御することなく、発生前の値に保持しながら、ノッキングの発生を抑制することができる。それにより、ノッキングの発生を抑制しながら、燃焼効率を向上させることができ、高い商品性を確保することができる。
【００７０】
次に、第３実施形態に係る内燃機関の制御装置について説明する。この制御装置は、第１実施形態のエンジン３と同一のエンジンを制御するものであり、第１実施形態の制御装置１と比較すると、電気的及び機械的な構成は同一であるとともに、図７に示すエンジン制御処理の内容のみが異なっているので、以下、図７を参照しながら、このエンジン制御処理について説明する。
【００７１】
このエンジン制御処理は、前述した図３のエンジン制御処理と同様に、ＥＣＵ２によって、ＴＤＣ信号の発生タイミングに同期して実行される。なお、本実施形態では、ＥＣＵ２が空燃比制御手段及び点火時期制御手段に相当する。
【００７２】
同図に示すように、まず、ステップ２１で、前述したステップ１と同じ手法により、要求トルクＴＲＱを算出する。
【００７３】
次いで、ステップ２２に進み、制御条件判定処理を実行する。この制御条件判定処理では、以下に述べるように、ストイキ運転条件フラグＦ＿ＳＴＯＩＣＨ及び切換条件フラグＦ＿ＣＨＡＮＧＥの値が設定される。
【００７４】
このストイキ運転条件フラグＦ＿ＳＴＯＩＣＨは、後述するストイキ運転制御処理の実行条件が成立しているか否かを表すものであり、具体的には、以下に述べるように設定される。すなわち、エンジン回転数ＮＥ及び要求トルクＴＲＱに応じて、図示しないマップを検索することにより、エンジン３の運転域を判定し、エンジン３の運転域がエンジン３をストイキ燃焼で運転すべきストイキ運転域にあるときには、ストイキ運転条件フラグＦ＿ＳＴＯＩＣＨが「１」に設定され、それ以外のリーンバーン燃焼で運転すべきリーン運転域にあるときには、ストイキ運転条件フラグＦ＿ＳＴＯＩＣＨが「０」に設定される。
【００７５】
一方、切換条件フラグＦ＿ＣＨＡＮＧＥは、後述する運転切換制御処理の実行条件が成立しているか否かを表すものであり、具体的には、以下に述べるように設定される。すなわち、前回の制御タイミングと今回の制御タイミングとの間で、ストイキ運転条件フラグＦ＿ＳＴＯＩＣＨが「１」と「０」との間で切り換わった際、その切換タイミングから所定期間が経過するまでの間は「１」に設定され、それ以外のときには「０」に設定される。
【００７６】
ステップ２２に続くステップ２３で、切換条件フラグＦ＿ＣＨＡＮＧＥが「１」であるか否かを判別する。この判別結果がＹＥＳで、運転切換制御処理の実行条件が成立しているときには、以下に述べるように、ステップ２４〜２５で、運転切換制御処理を実行する。
【００７７】
具体的には、まず、ステップ２４で、運転切換用の燃料噴射制御処理を実行する。この制御処理では、エンジン回転数ＮＥ及び要求トルクＴＲＱなどに応じて、両燃料噴射弁６，７の燃料噴射量及び噴射タイミングが決定されるとともに、決定された燃料噴射量及び噴射タイミングで、両燃料噴射弁６，７による燃料噴射が実行される。
【００７８】
その際、主燃料噴射弁６による燃料噴射量は、運転切換制御処理の実行条件が成立する前と同じ値に決定される一方、副燃料噴射弁７による燃料噴射量は、運転切換制御処理の実行条件の成立前よりも増量側の値に決定される。この理由については後述する。また、切換条件フラグＦ＿ＣＨＡＮＧＥ＝１のときには、図示しない吸気制御処理において、スロットル弁５ａの開度が運転切換用の値（エンジン３の運転状態に応じて設定される値）に制御される。
【００７９】
それにより、リーン運転制御処理からストイキ運転制御処理に切り換えるときの運転切換制御処理では、気筒３ａ内の混合気全体の空燃比は、理論空燃比よりもリーン側の第１所定値から理論空燃比（第２所定値）に変化するように制御されるとともに、副燃焼室３ｄ内の空燃比は、リーン運転制御処理の実行中よりもリッチ側の値に制御される。これは、スロットル弁５ａの応答遅れ特性に起因する筒内ガス量の応答遅れを補償して、副燃焼室３ｄ内の混合気の着火性を高めるためである。
【００８０】
一方、これと逆に、ストイキ運転制御処理からリーン運転制御処理に切り換えるときの運転切換制御処理では、気筒３ａ内の混合気全体の空燃比は、理論空燃比から上述した第１所定値に変化するように制御され、主燃焼室３ｃ内の空燃比は、理論空燃比からよりリーン側の値に変化するように制御されるとともに、副燃焼室３ｄ内の空燃比は、リーン運転制御処理の実行中よりもリッチ側の値であって、ストイキ運転制御処理からリーン運転制御処理に切り換えるのに最適な値に制御される。その結果、副燃焼室３ｄ内の混合気の着火性が高められる。
【００８１】
次いで、ステップ２５に進み、運転切換用の点火時期制御処理を実行する。この制御処理では、副燃焼室３ｄ内の混合気が、点火プラグ８によってノッキングを抑制するのに最適な点火時期で点火される。この場合、点火時期は、後述する理由により、運転切換制御処理の実行条件が不成立であるときよりも遅角側の値に設定される。以上のように、ステップ２５で、運転切換用の点火時期制御処理を実行した後、本処理を終了する。
【００８２】
一方、ステップ２３の判別結果がＮＯで、運転切換制御処理の実行条件が不成立であるときには、ステップ２６に進み、ストイキ運転条件フラグＦ＿ＳＴＯＩＣＨが「１」であるか否かを判別する。この判別結果がＹＥＳで、ストイキ運転制御処理の実行条件が成立しているときには、以下に述べるように、ステップ２７〜２８で、ストイキ運転制御処理を実行する。
【００８３】
具体的には、まず、ステップ２７で、ストイキ運転用の燃料噴射制御処理を実行する。この制御処理では、エンジン回転数ＮＥ及び要求トルクＴＲＱなどに応じて、両燃料噴射弁６，７の燃料噴射量及び噴射タイミングが決定されるとともに、決定された燃料噴射量及び噴射タイミングで、両燃料噴射弁６，７による燃料噴射が実行される。
【００８４】
その際、両燃料噴射弁６，７による燃料噴射量は、エンジン３のリーンバーン運転中よりも増量される。それにより、ストイキ運転制御処理の実行中は、気筒３ａ内の混合気全体の空燃比は、通常のリーンバーン運転中の空燃比よりもリッチ側の理論空燃比相当の値に制御される。
【００８５】
次いで、ステップ２８に進み、ストイキ運転用の点火時期制御処理を実行する。この制御処理では、点火プラグ８によって、副燃焼室３ｄ内の混合気の空燃比に応じて、最適な点火時期で点火される。以上のように、ステップ２８で、ストイキ運転用の点火時期制御処理を実行した後、本処理を終了する。
【００８６】
一方、ステップ２６の判別結果がＮＯで、ストイキ運転制御処理の実行条件が不成立であるときには、以下に述べるように、ステップ２９〜３０で、リーン運転制御処理を実行する。
【００８７】
具体的には、まず、ステップ２９で、リーン運転用の燃料噴射制御処理を実行する。この制御処理では、エンジン回転数ＮＥ及び要求トルクＴＲＱなどに応じて、両燃料噴射弁６，７の燃料噴射量及び噴射タイミングが決定されるとともに、決定された燃料噴射量及び噴射タイミングで、両燃料噴射弁６，７による燃料噴射が実行される。
【００８８】
その際、両燃料噴射弁６，７による燃料噴射量は、エンジン３のリーンバーン運転に適した値に設定され、それによって、リーン運転制御処理の実行中は、気筒３ａ内の混合気全体及び主燃焼室３ｃ内の空燃比は、理論空燃比よりもリーン側の値に制御される。
【００８９】
次いで、ステップ３０に進み、リーン運転用の点火時期制御処理を実行する。この制御処理では、点火プラグ８によって、副燃焼室３ｄ内の混合気の空燃比に応じて、最適な点火時期で点火される。以上のように、ステップ３０で、リーン運転用の点火時期制御処理を実行した後、本処理を終了する。
【００９０】
以上のように、第３実施形態の制御装置によれば、運転切換制御処理の実行条件が成立しているときには、ステップ２４〜２５で、運転切換制御処理が実行される。その際、前述したように、ステップ２４の運転切換用の燃料噴射制御処理では、リーン運転制御処理からストイキ運転制御処理に切り換えるときに、主燃料噴射弁６による燃料噴射量は、運転切換制御処理の実行条件が成立する前と同じ値に決定される一方、副燃料噴射弁７による燃料噴射量は、運転切換制御処理の実行条件の成立前よりも増量側の値に決定される。さらに、ステップ２５の運転切換用の点火時期制御処理では、副燃焼室３ｄ内の混合気が、運転切換制御処理の実行条件が不成立であるときよりも遅角側の点火時期で点火される。
【００９１】
これは以下の理由による。すなわち、図８（ａ）に示すように、一般的なエンジンの場合、点火時期を遅角側に制御するほど、ＮＯｘの排出量を低減できることが知られているものの、点火時期を遅角側に制御した場合、燃焼効率が低下するおそれがある。これに対して、図８（ｂ）に示すように、副燃焼室３ｄ内の混合気の空燃比をよりリッチ側に制御するほど、混合気の燃焼安定性が高くなることが知られている。これに加えて、リーン運転制御処理からストイキ運転制御処理に切り換えるときに、スロットル弁５ａの応答特性に起因する筒内ガス量の応答遅れが発生し、燃焼が不安定になるおそれがあるので、副燃焼室３ｄ内の混合気の空燃比をよりリッチ側に制御することで、そのような筒内ガス量の応答遅れを補償し、副燃焼室３ｄ内の混合気の着火性を高める必要がある。したがって、本実施形態の制御装置の場合、リーン運転制御処理からストイキ運転制御処理に切り換えるときの運転切換制御処理において、副燃料噴射弁７による燃料噴射量が、運転切換制御処理を実行しないときよりも増量側の値に制御され、副燃焼室３ｄ内の空燃比がリッチ側に制御されるので、ＮＯｘ排出量を抑制しながら、燃焼安定性を確保することができ、高い商品性を確保することができる。
【００９２】
なお、第３実施形態は、空燃比切換制御として、エンジン３をリーンバーン運転制御とストイキ運転制御との間で切り換える制御を実行した例であるが、本発明の空燃比切換制御はこれに限らず、気筒内の混合気全体の空燃比を理論空燃比以上の第１所定値と当該第１所定値よりも小さい第２所定値との間で切り換えるものであればよい。例えば、空燃比切換制御として、エンジン３を通常運転するために、空燃比を理論空燃比又はそれよりもリーンな値に制御する通常運転制御と、触媒装置１０に吸着されたＮＯｘを還元するために、空燃比を理論空燃比よりもリッチな値に制御する触媒再生制御との間で切り換える制御を実行してもよい。この場合でも、第３実施形態と同じ作用効果を得ることができる。
【００９３】
また、前述した第１〜第３実施形態の各々は、本発明の制御装置を車両用の内燃機関に適用した例であるが、本発明の制御装置は、これに限らず、船舶用の内燃機関や他の産業機器用の内燃機関にも適用可能である。
【００９４】
さらに、各実施形態は、内燃機関として、ガソリンを燃料とするものを用いた例であるが、本発明の内燃機関はこれに限らず、軽油や天然ガスなどを燃料とする内燃機関を用いてもよい。
【００９５】
一方、各実施形態は、主燃料供給装置として、主燃料噴射弁６を用いた例であるが、本発明の主燃料供給装置はこれに限らず、混合気を主燃焼室内に生成させることができるものであればよい。例えば、主燃料供給装置として、燃料を主燃焼室内に直接噴射する直噴タイプの燃料噴射弁を用いてもよい。
【００９６】
また、各実施形態は、副燃料供給装置として、副燃料噴射弁７を用いた例であるが、本発明の副燃料供給装置はこれに限らず、混合気を副燃焼室内に生成させることができるものであればよい。例えば、副燃料供給装置として、副燃焼室に連通する連通路と、この連通路に燃料を噴射／供給する装置とを用いてもよい。
【００９７】
さらに、各実施形態は、点火装置として、点火プラグ８を用いた例であるが、本発明の点火装置はこれに限らず、副燃焼室内の混合気を点火できるものであればよい。例えば、点火装置として、グロープラグなどを用いてもよい。
【符号の説明】
【００９８】
１  制御装置
２  ＥＣＵ（遅角条件判定手段、点火時期制御手段、空燃比制御手段、ノッキング判        定手段）
３  内燃機関
３ａ  気筒
３ｃ  主燃焼室
３ｄ  副燃焼室
６  主燃料噴射弁（主燃料供給装置）
７  副燃料噴射弁（副燃料供給装置）
８  点火プラグ（点火装置）
９  排気通路
１０  触媒装置（触媒）
【図１】
2018105171.tif 000003
【図２】
2018105171.tif 000004
【図３】
2018105171.tif 000005
【図４】
2018105171.tif 000006
【図５】
2018105171.tif 000007
【図６】
2018105171.tif 000008
【図７】
2018105171.tif 000009
【図８】
2018105171.tif 000010